(57)【要約】【課題】作業性を大きく向上できる回転電機の仮固定治具及びこれを使用する回転電機の組立方法を提供する。【解決手段】フレーム１１１の一端側に複数のブラケット２１の基端側を周方向に沿って等間隔で取り付け、ブラケット２１の先端側のめねじ部２１ｄにおねじ部２２ｄを螺合させたスペーサ２２をロータ１１３の仮固定台座部１１３ａに当接させるようにブラケット２１に対するスペーサ２２の螺合位置を調整し、ブラケット２１及びスペーサ２２のボルト穴２１ｂ，２２ｂに仮固定ボルト２３を貫通させてロータ１１３に螺合させることにより、フレーム１１１に対してロータ１１３を仮固定した後、ロータ１１３に回転軸１１４を装着したら、仮固定ボルト２３を外して、スペーサ２２をロータ１１３の仮固定台座部１１３ａから離反させるようにブラケット２１に対するスペーサ２２の螺合位置を調整することにより、ロータ１１３を回転軸１１４に本固定する。【選択図】図４
2020043658.tif 000002
【特許請求の範囲】
【請求項１】
ステータを取り付けた円筒形のフレームに対してロータを仮固定する回転電機の仮固定治具であって、
前記フレームの一端側に基端側を着脱可能に取り付けられて先端側を前記ロータへ着脱可能に連結される板状の支持部材と、
前記ロータに対して当接離反移動可能となるように前記支持部材の先端側に螺合する座部材と、
前記支持部材の先端側及び前記座部材を貫通して前記ロータに着脱可能に螺合する仮固定ボルトと
を備えていることを特徴とする回転電機の仮固定治具。
【請求項２】
請求項１に記載の回転電機の仮固定治具を使用する回転電機の組立方法であって、
前記フレームの一端側に複数の前記支持部材の基端側を周方向に沿って規定間隔でそれぞれ取り付け、
前記支持部材の先端側に各々螺合させた前記座部材を前記ロータにそれぞれ当接させるように当該支持部材に対する当該座部材の螺合位置を各々調整し、
前記支持部材及び前記座部材に前記仮固定ボルトをそれぞれ貫通させて、前記ステータの内部に配設された前記ロータにそれぞれ螺合させることにより、
前記フレームに対して前記ロータを仮固定する
ことを特徴とする回転電機の組立方法。
【請求項３】
請求項２に記載の回転電機の組立方法において、
前記フレームに対して仮固定された前記ロータに回転軸を装着した後、
前記仮固定ボルトをそれぞれ外し、前記座部材を前記ロータからそれぞれ離反させるように当該支持部材に対する当該座部材の螺合位置を各々調整することにより、
前記ロータを前記回転軸に本固定する
ことを特徴とする回転電機の組立方法。
【請求項４】
請求項３に記載の回転電機の組立方法において、
前記支持部材を取り付けられた前記フレームの一端側に、当該フレームの内側と外側とを仕切るように覆うカバーを取り付ける
ことを特徴とする回転電機の組立方法。
【発明の詳細な説明】
【技術分野】
【０００１】
本発明は、ステータを取り付けた円筒形のフレームに対してロータを仮固定する回転電機の仮固定治具及びこれを使用する回転電機の組立方法に関し、特に、エレベータの巻上機のモータに適用すると有効なものである。
【背景技術】
【０００２】
例えば、エレベータの巻上機のモータは、工場において、ステータを内部に取り付けた円筒形のフレームの一端側に環状をなす仮固定治具を同軸をなして取り付けると共に、ステータの内部に配設したロータを当該仮固定治具に取り付けることにより、ステータの同軸上にロータを位置付けるように仮固定してから、現場にまで搬送し、網車の回転軸をロータの内部に挿入してロータに回転軸を装着した後、フレーム及びロータから仮固定治具を取り外して、フレームの一端側にカバーを取り付けることにより、組み立てられている。
【先行技術文献】
【特許文献】
【０００３】
【特許文献１】特開２００４−１０７０４８号公報
【特許文献２】特開２００９−１０７７９０号公報
【発明の概要】
【発明が解決しようとする課題】
【０００４】
フレームに対してロータを仮固定する仮固定治具は、堅牢さが必要であることから、肉厚な部材となってしまう。このため、前述したような従来の環状の仮固定治具は、重量が非常に大きく、取り付けや取り外し等の作業に多大な労力を要するものとなっていた。
【０００５】
このような問題は、エレベータの巻上機のモータに限らず、ステータを取り付けた円筒形のフレームに対してロータを仮固定する回転電機であれば、上述した場合と同様にして生じ得ることである。
【０００６】
このようなことから、本発明は、作業性を大きく向上させることができる回転電機の仮固定治具及びこれを使用する回転電機の組立方法を提供することを目的とする。
【課題を解決するための手段】
【０００７】
前述した課題を解決するための、本発明に係る回転電機の仮固定治具は、ステータを取り付けた円筒形のフレームに対してロータを仮固定する回転電機の仮固定治具であって、前記フレームの一端側に基端側を着脱可能に取り付けられて先端側を前記ロータへ着脱可能に連結される板状の支持部材と、前記ロータに対して当接離反移動可能となるように前記支持部材の先端側に螺合する座部材と、前記支持部材の先端側及び前記座部材を貫通して前記ロータに着脱可能に螺合する仮固定ボルトとを備えていることを特徴とする。
【０００８】
そして、前述した課題を解決するための、本発明に係る回転電機の組立方法は、上述した回転電機の仮固定治具を使用する回転電機の組立方法であって、前記フレームの一端側に複数の前記支持部材の基端側を周方向に沿って規定間隔でそれぞれ取り付け、前記支持部材の先端側に各々螺合させた前記座部材を前記ロータにそれぞれ当接させるように当該支持部材に対する当該座部材の螺合位置を各々調整し、前記支持部材及び前記座部材に前記仮固定ボルトをそれぞれ貫通させて、前記ステータの内部に配設された前記ロータにそれぞれ螺合させることにより、前記フレームに対して前記ロータを仮固定することを特徴とする。
【０００９】
また、本発明に係る回転電機の組立方法は、上述した回転電機の組立方法において、前記フレームに対して仮固定された前記ロータに回転軸を装着した後、前記仮固定ボルトをそれぞれ外し、前記座部材を前記ロータからそれぞれ離反させるように当該支持部材に対する当該座部材の螺合位置を各々調整することにより、前記ロータを前記回転軸に本固定することを特徴とする。
【００１０】
また、本発明に係る回転電機の組立方法は、上述した回転電機の組立方法において、前記支持部材を取り付けられた前記フレームの一端側に、当該フレームの内側と外側とを仕切るように覆うカバーを取り付けることを特徴とする。
【発明の効果】
【００１１】
本発明によれば、板状をなす小型で軽量の支持部材及び座部材によってロータを仮固定ボルトでフレームに仮固定することができ、ロータを回転軸に装着した後、仮固定ボルトを外して座部材をロータから離反させることによって仮固定を解除することができるので、取り付けや取り外し等の作業性を大幅に向上させることができる。
【図面の簡単な説明】
【００１２】
【図１】本発明に係る回転電機の仮固定治具の主な実施形態のブラケットの構造図である。
【図２】本発明に係る回転電機の仮固定治具の主な実施形態のスペーサの構造図である。
【図３】本発明に係る回転電機の仮固定治具の主な実施形態の仮固定ボルトの構造図である。
【図４】本発明に係る回転電機の仮固定治具を使用する回転電機の組立方法の主な実施形態の説明図である。
【図５】図４に続く説明図である。
【図６】図５に続く説明図である施形態の説明図である。
【発明を実施するための形態】
【００１３】
本発明に係る回転電機の仮固定治具及びこれを使用する回転電機の組立方法の実施形態を図面に基づいて説明するが、本発明は図面に基づいて説明する以下の実施形態のみに限定されるものではない。
【００１４】
〈主な実施形態〉
本発明に係る回転電機の仮固定治具及びこれを使用する回転電機の組立方法の主な実施形態を図１〜６に基づいて説明する。
【００１５】
本実施形態に係る回転電機の仮固定治具は、図１〜３に示すように、ステータを取り付けた円筒形のフレームに対してロータを仮固定する回転電機の仮固定治具であって、フレームの一端側に基端側を着脱可能に取り付けられて先端側をロータへ着脱可能に連結される板状の支持部材であるブラケット２１と、ロータに対して当接離反移動可能となるようにブラケット２１の先端側に螺合する座部材であるスペーサ２２と、ブラケット２１の先端側及びスペーサ２２を貫通してロータに着脱可能に螺合する仮固定ボルト２３とを備えると共に、さらに、ブラケット２１の基端側をフレームの一端側に着脱可能に取り付ける取付ボルト２４（図４参照）を備えている。
【００１６】
ブラケット２１は、背面（図１Ａ中、紙面奥面、図１Ｂ中、右面）の先端側（図１Ａ，１Ｂ中、下側）に、厚肉となる台座部２１ａが設けられ、当該台座部２１ａに厚さ方向（図１Ａ中、紙面垂直方向、図１Ｂ中、左右方向）で仮固定ボルト２３を差し込まれるボルト穴２１ｂが形成されると共に、当該台座部２１ａの座面２１ａａと厚さ方向（図１Ａ中、紙面垂直方向、図１Ｂ中、左右方向）中程との間に当該厚さ方向へ軸方向を向けためねじ部２１ｄがボルト穴２１ｂの同軸上で当該ボルト穴２１ｂよりも大径をなして形成される一方、基端側（図１中、上側）に、厚さ方向へ取付ボルトを差し込まれるボルト穴２１ｃが形成されている。
【００１７】
スペーサ２２は、外周面にねじ山を形成された円柱形状のおねじ部２２ｄが六角形状の台座部２２ａの軸心上に軸心を位置させるように立設され、おねじ部２２ｄがブラケット２１のめねじ部２１ｄに螺合すると共に、ブラケット２１のボルト穴２１ｂと連通して仮固定ボルト２３を差し込まれるボルト穴２２ｂが台座部２２ａ及びおねじ部２２ｄの軸心上を貫通するようにして形成されている。
【００１８】
仮固定ボルト２３は、頭部２３ａが、ブラケット２１のボルト穴２１ｂの直径よりも大きい径サイズを有し、軸部２３ｂが、ブラケット２１及びスペーサ２２のボルト穴２１ｂ，２２ｂの合計長さよりも長くなっている。
【００１９】
このような本実施形態に係る仮固定治具２０を使用する回転電機であるエレベータの巻上機のモータの組立方法を図４〜６に基づいて説明する。
【００２０】
まず、工場において、環状をなすステータ１１２を内周面に同軸をなして取り付けた円筒形のフレーム１１１の一端側（図４Ａ中、紙面手前側、図４Ｂ中、左端側）に対して、スペーサ２２のおねじ部２２ｄをめねじ部２１ｄに各々螺合させた複数（本実施形態では３つ）のブラケット２１の基端側を周方向に沿って規定間隔（本実施形態では等間隔）でそれぞれ配設して、ボルト穴２１ｃに取付ボルト２４を各々差し込んで貫通させてフレーム１１１の一端側に螺合させ、当該ブラケット２１の基端側をフレーム１１１にそれぞれ取り付ける。
【００２１】
そして、環状をなすロータ１１３をステータ１１２の内部に配設して、スペーサ２２の台座部２２ａをロータ１１３の仮固定台座部１１３ａにそれぞれ当接させるように、ブラケット２１のめねじ部２１ｄに対するスペーサ２２のおねじ部２２ｄの螺合位置を各々調整し、仮固定ボルト２３をブラケット２１のボルト穴２１ｂにそれぞれ差し込んでスペーサ２２のボルト穴２２ｂを経由して貫通させ、ロータ１１３の仮固定台座部１１３ａにそれぞれ螺合させる。
【００２２】
これにより、ロータ１１３は、ステータ１１２と同軸をなすように仮固定治具２０でフレーム１１１に仮固定される。
【００２３】
そして、フレーム１１１に対してロータ１１３を仮固定したら、現場にまで搬送し、網車の回転軸１１４をロータ１１３の内部に挿入してロータ１１３に回転軸１１４を装着した後、仮固定ボルト２３をそれぞれ外すと共に、スペーサ２２の台座部２２ａをロータ１１３の仮固定台座部１１３ａからそれぞれ離反させるように、ブラケット２１のめねじ部２１ｄに対するスペーサ２２のおねじ部２２ｄの螺合位置を各々調整し、ブラケット２１の台座部２１ａにスペーサ２２の台座部２２ａをそれぞれ当接させる（図５参照）。
【００２４】
これにより、ロータ１１３は、ステータ１１２と同軸をなすように回転軸１１４に本固定される。
【００２５】
そして、フレーム１１１の内側と外側とを仕切るように覆う円板形のカバー１１５を当該フレーム１１１の一端側に同軸をなして配設し、当該カバー１１５を取付ボルト１１６でブラケット２１及びフレーム１１１に取り付けることにより（図６参照）、エレベータの巻上機のモータ１１０が現場で組み立てられて据え付けられる。
【００２６】
つまり、従来は、環状をなす大型で重量物の仮固定治具によってロータをフレームに対して仮固定して、当該仮固定治具を取り外すことによって仮固定を解除すると共にカバーをフレームに装着できるようにしていたが、本実施形態においては、複数（本実施形態では３つ）の板状をなす小型で軽量のブラケット２１及びスペーサ２２によってロータ１１３を仮固定ボルト２３でフレーム１１１に仮固定し、仮固定ボルト２３を外してスペーサ２２をロータ１１３から離反させることによって仮固定を解除すると共にフレーム１１１にブラケット２１を取り付けたままカバー１１５を装着ことができるようにしたのである。
【００２７】
このため、従来は、取り付けや取り外し等の作業に多大な労力を要してしまっていたものの、本実施形態においては、取り付けや取り外し等の作業を非常に容易に行うことが可能となる。
【００２８】
したがって、本実施形態に係る仮固定治具２０及びこれを使用するエレベータの巻上機のモータ１１０の組立方法よれば、作業性を大幅に向上させることができる。
【００２９】
また、ブラケット２１に対するスペーサ２２の螺合位置を調整することにより、スペーサ２２をブラケット２１に保持させた状態でロータ１１３の仮固定台座部１１３ａに対して接近離反移動させることができるので、スペーサ２２とロータ１１３の仮固定台座部１１３ａとの間に隙間を簡単に形成することができると共に、仮固定ボルト２３を取り外したときに、スペーサ２２を誤って落下させてしまうことを防止することができ、スペーサ２２が他の部品に衝突して他の部品を傷付けてしまうことを未然に防止することができる。
【００３０】
〈他の実施形態〉
なお、前述した実施形態においては、エレベータの巻上機のモータに適用した場合について説明したが、本発明はこれに限らず、ステータを取り付けた円筒形のフレームに対してロータを仮固定する回転電機であれば、前述した実施形態の場合と同様にして適用することができる。
【産業上の利用可能性】
【００３１】
本発明に係る回転電機の仮固定治具及びこれを使用する回転電機の組立方法は、取り付けや取り外し等の作業性を大幅に向上させることができるので、産業上、極めて有益に利用することができる。
【符号の説明】
【００３２】
２０  仮固定治具
２１  ブラケット
２１ａ  台座部
２１ａａ  座面
２１ｂ  ボルト穴
２１ｃ  ボルト穴
２１ｄ  めねじ部
２２  スペーサ
２２ａ  台座部
２２ｂ  ボルト穴
２２ｄ  おねじ部
２３  仮固定ボルト
２３ａ  頭部
２３ｂ  軸部
２４  取付ボルト
１１０  モータ
１１１  フレーム
１１２  ステータ
１１３  ロータ
１１３ａ  仮固定台座部
１１４  回転軸
１１５  カバー
１１６  取付ボルト
【図１】
2020043658.tif 000003
【図２】
2020043658.tif 000004
【図３】
2020043658.tif 000005
【図４】
2020043658.tif 000006
【図５】
2020043658.tif 000007
【図６】
2020043658.tif 000008
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ステータを取り付けた円筒形のフレームに対してロータを仮固定する回転電機の仮固定治具であって、
前記フレームの一端側に基端側を着脱可能に取り付けられて先端側を前記ロータへ着脱可能に連結される板状の支持部材と、
前記ロータに対して当接離反移動可能となるように前記支持部材の先端側に螺合する座部材と、
前記支持部材の先端側及び前記座部材を貫通して前記ロータに着脱可能に螺合する仮固定ボルトと、を備え、
前記支持部材は、先端側に形成された第１の台座部と、該台座部に形成されて前記仮固定ボルトの軸部が差し込まれるボルト穴と、該ボルト穴と連通して形成されためねじ部と、を備え、
前記座部材は、第２の台座部の軸芯上に軸芯を位置させるように立設され、かつ前記めねじ部と螺合するおねじ部を備え、
前記仮固定ボルトを外した状態で前記めねじ部と前記おねじ部との螺合位置を調整することにより、
前記第１の台座部に前記第２の台座部が当接するまで、前記座部材の前記ロータに対する離反が可能なことを特徴とする回転電機の仮固定治具。
【請求項２】
請求項１に記載の回転電機の仮固定治具を使用する回転電機の組立方法であって、
前記フレームの一端側に複数の前記支持部材の基端側を周方向に沿って規定間隔でそれぞれ取り付け、
前記支持部材の先端側に各々螺合させた前記座部材を前記ロータにそれぞれ当接させるように当該支持部材に対する当該座部材の螺合位置を各々調整し、
前記支持部材及び前記座部材に前記仮固定ボルトをそれぞれ貫通させて、前記ステータの内部に配設された前記ロータにそれぞれ螺合させることにより、前記フレームに対して前記ロータを仮固定し、
前記フレームに対して仮固定された前記ロータに回転軸を装着した後、
前記仮固定ボルトをそれぞれ外し、前記座部材を前記ロータからそれぞれ離反させるように前記めねじ部に対する前記おねじ部の螺合位置を各々調整し、
前記第１の台座部に前記第２の台座部を当接させることにより、前記ロータを前記回転軸に本固定する
ことを特徴とする回転電機の組立方法。
【請求項３】
請求項２に記載の回転電機の組立方法において、
前記支持部材を取り付けられた前記フレームの一端側に、当該フレームの内側と外側とを仕切るように覆うカバーを取り付ける
ことを特徴とする回転電機の組立方法。